(57)【要約】      （修正有）【課題】振れ止め用筋交いの種々の傾斜角度に対応することができると共に、野縁受けの長手方向に直交する方向や野縁受けの長手方向に沿う方向に配列される振れ止め用筋交いを取り付けることができ、更には鉄骨製建物の天井部である母屋にも野縁受けを懸架することができる野縁受け金具を提供する。【解決手段】野縁受け金具２は、天井部Ｓ側より傾斜状に垂下される振れ止め用筋交い４の下端部４ａをビス止めするための第１の筋交い取付板片部５と、第１の筋交い取付板片部５の縦側縁部から平面Ｌ状に折り曲げられて第１の筋交い取付板片部５に対して平面Ｌ状、即ち直角状に対向する第２の筋交い取付板片部６と、第２の筋交い取付板片部６の下端部に形成される略上向きコ字状の野縁受け懸架板片部８とからなり，筋交い取付板片部５，６には、傾斜角度に係わらず、振れ止め用筋交い４の下端部４ａにビス止めするための多数のビス挿通孔９が貫設される。【選択図】図３
2017025513.tif 000002
【特許請求の範囲】
【請求項１】
天井部より垂下される吊りボルトの下端部に野縁受け金具を取り付け、これに野縁受けを懸架するようにした野縁受け懸架装置において、
野縁受け金具は、天井部側より傾斜状に垂下される振れ止め用筋交いの下端部をビス止めするための第１の筋交い取付板片部と、第１の筋交い取付板片部の縦側縁部から平面Ｌ状に折り曲げられて第１の筋交い取付板片部に対して平面Ｌ状、即ち直角状に対向する第２の筋交い取付板片部と、第２の筋交い取付板片部の上端部に水平状に形成される吊りボルト取付板片部と、第２の筋交い取付板片部の下端部に形成される略上向きコ字状の野縁受け懸架板片部とからなり，前記第１および第２の筋交い取付板片部には、その全面にわたって、振れ止め用筋交いの種々の傾斜角度に係わらず、振れ止め用筋交いの下端部にビス止めするための多数のビス挿通孔が第１および第２の筋交い取付板片部の全面にわたって貫設されてなる野縁受け懸架装置。
【請求項２】
野縁受け金具を形成するための打ち抜き金属板は、第１の筋交い取付板片部と、第１の筋交い取付板片部の縦側縁部から平面Ｌ状、即ち直角状に折り曲げられる縦折り曲げ部を介して形成される第２の筋交い取付板片部と、第２の筋交い取付板片部の上端部から外側に水平状に折り曲げられる外側横折り曲げ部を介して形成される吊りボルト取付板片部と、第２の筋交い取付板片部の下端部から内側に２重に上向きコ字状に折り曲げられる２重内側横折り曲げ部を介して形成される野縁受け懸架板片部と、からなり、第１及び第２の筋交い取付板片部には、その全面にわたって多数のビス挿通孔が貫設されてなる請求項１に記載の野縁受け懸架装置。
【請求項３】
天井部より垂下される吊りボルトの隣り合う吊りボルト間に、その上端部から下端部にかけて傾斜状に取り付けられる振れ止め用筋交いにおいて、振れ止め用筋交いの上端部は、吊りボルトの上端部に取り付けられた枢着金具によって、その傾斜角度が自由に変位し得るように枢着連結され、振れ止め用筋交いの下端部は、野縁受け金具の前記第１又は第２の筋交い取付板片部に設けた多数のビス挿通孔のうち、振れ止め用筋交いの傾斜角度に応じて振れ止め用筋交いの下端部が重合する挿通孔にビスを挿通させて振れ止め用筋交いの下端部にビス止めしてなる請求項１又は２に記載の野縁受け懸架装置。
【請求項４】
野縁受け金具を挟んで野縁受けの長手方向に対して直交する方向に傾斜状に垂下される振れ止め用筋交いは、その下端部が第１の筋交い取付板片部にビス止めされるようになっている請求項１〜３の何れかに記載の野縁受け懸架装置。
【請求項５】
野縁受け金具を挟んで野縁受けの長手方向に沿って傾斜状に垂下される振れ止め用筋交いは、その下端部が第２の筋交い取付板片にビス止めされるようになっている請求項１〜４の何れかに記載の野縁受け懸架装置。
【請求項６】
野縁受け金具を挟んで野縁受けの長手方向に直交して傾斜方向が反対で略Ｖ字状に配列される一対の振れ止め用筋交いは、その両者の下端部が互いに干渉しないよう第１の筋交い取付板片部の上下位置に分かれてビス止めされるようになっている請求項１〜５の何れかに記載の野縁受け懸架装置。
【請求項７】
野縁受け金具を挟んで野縁受けの長手方向に沿って傾斜方向が反対で略Ｖ字状に配列される一対の振れ止め用筋交いは、その両者の下端部が互いに干渉しないようその一方の振れ止め用筋交いの下端部は第２の筋交い取付板片にビス止めされ、他方の振れ止め用筋交いの下端部は野縁受けの長手方向側壁にビス止めされるようになっている請求項１〜６の何れかに記載の野縁受け懸架装置。
【請求項８】
天井部より垂下される吊りボルトは、野縁受けの長手方向に対して直交する方向に適当間隔に垂下されると共に、野縁受けの長手方向に沿って適当間隔に垂下され、これらの吊りボルトに野縁受け金具が取り付けられ、これらの野縁受け金具によって野縁受けが懸架されてなる野縁受け懸架装置において、野縁受けの長手方向に沿って適当間隔に取り付けられる、隣り合う野縁受け金具間に水平状に水平部材が配列され、該水平部材に野縁受け金具の第１の筋交い取付板片部、又は振れ止め用筋交いの下端部が夫々ビス止めされることによって、野縁受けの長手方向に隣り合う野縁受け金具が水平部材によって互いに繋がれてなる請求項１〜７の何れかに記載の野縁受け懸架装置。
【請求項９】
鉄骨製建物の鉄骨製屋根骨枠に直交して取付けられる水平材である鉄骨製母屋に、第１の筋交い取付板片部と、第１の筋交い取付板片部の縦側縁部から平面Ｌ状、即ち直角状に折り曲げ形成される第２の筋交い取付板片部と、第２の筋交い取付板片部の下端部に形成される上向きコ字状の野縁受け懸架板片部と、からなる野縁受け金具を、その第２の筋交い取付板片部に貫設してあるビス挿通孔から挿通するビスを鉄骨製母屋にねじ込むことによってビス止めし、野縁懸架板片部に野縁受けを懸架してなる野縁受け懸架装置。
【発明の詳細な説明】
【技術分野】
【０００１】
本発明は、建物に天井材取付用の野縁を吊持するための野縁受け懸架装置に関するものである。
【背景技術】
【０００２】
従来、建物の天井部に吊りボルトによって天井板取付用の野縁を吊持するための野縁受け懸架装置として、本件出願人が取得した下記の特許文献を挙げることができる。この従来技術を、図１４によって説明すると、建物躯体の天井スラブＳより垂下された吊りボルト１‥‥の互いに隣り合う吊りボルト１，１どうし間に、振れ止め用筋交い３０を、その上端部を吊りボルト１の上端部に取り付けた上端部取付金具３１に、その下端部を隣り合う吊りボルトの下端部の下端部取付金具３２に取り付けて、天井部Ｓより垂下される吊りボルト１の隣り合う吊りボルト１，１間にその上端部から下端部にかけて傾斜状に取り付けられようになっている。このように、隣り合う吊りボルト１，１間に振れ止め用筋交い３０を傾斜状に介在させることによって、地震の際の衝撃や振動によって吊りボルト１の下端部に取り付けられる野縁受け金具３３の揺動を可能な限り少なくし、野縁受け金具３３に懸架される野縁受け３が野縁受け金具３３からの脱落を防止し、野縁受け３に取り付けられる野縁２７を介して吊持される天井材２８の破壊、落下を防止することができるようになっているが、従来にあっては、振れ止め用筋交い３０がその上端部から下端部にかけて図示のように略４５°の固定した傾斜角度に傾斜して取り付けられるようになっているため、現場施工条件によっては、振れ止め用筋交いを４５°に限らず、３０°から６０°の範囲で種々の傾斜角度で取り付けたい場合があるが、従来技術ではこれに対応できないという難点がある。又、天井部Ｓから垂下される吊りボルト１の下端部に野縁受け金具を介して取り付けられる野縁受け３において、その長手方向に直交する方向に適当間隔に隣り合って吊持される吊りボルト１，１間に振れ止め用筋交い３０を取り付ける場合と、野縁受け３の長手方向に沿って適当間隔に隣り合って吊持される吊りボルト１，１間に振れ止め用筋交い３０を取り付ける場合とがあるが、従来技術ではこれに充分に対応することができない難点があった。
【先行技術文献】
【特許文献】
【０００３】
【特許文献１】特許第４８５６５５４号公報
【発明の概要】
【発明が解決しようとする課題】
【０００４】
本発明は、上記従来技術の難点を払拭し、現場施工条件によっては、振れ止め用筋交いを４５°に限らず、３０°から６０°の範囲で種々の傾斜角度で取り付けたい場合に充分に対応することができ、又、野縁受けの長手方向に直交する方向に適当間隔に隣り合って天井部から吊持される吊りボルト間に振れ止め用筋交いを取り付ける場合や、野縁受けの長手方向に沿って適当間隔に隣り合って吊持される吊りボルト間に振れ止め用筋交いを取り付ける場合の何れにも対応することができる野縁受け懸架装置を提案することを目的とするものである。更には、鉄骨製建物の天井部である母屋に野縁受けを懸架することができる野縁受け懸架装置を提案することを目的とする。
【課題を解決するための手段】
【０００５】
上記課題を解決するための手段を、便宜上、後述する実施形態の参照符号を付して説明すると、請求項１に係る野縁受け懸架装置は、図１〜図９に示すように、天井部Ｓより垂下される吊りボルト１の下端部に野縁受け金具２を取り付け、これに野縁受け３を懸架するようにした野縁受け懸架装置において、野縁受け金具２は、天井部Ｓ側より傾斜状に垂下される振れ止め用筋交い４の下端部４ａをビス止めするための第１の筋交い取付板片部５と、第１の筋交い取付板片部５の縦側縁部から平面Ｌ状に折り曲げられて第１の筋交い取付板片部５に対して平面Ｌ状、即ち直角状に対向する第２の筋交い取付板片部６と、第２の筋交い取付板片部６の上端部に水平状に形成される吊りボルト取付板片部７と、第２の筋交い取付板片部６の下端部に形成される略上向きコ字状の野縁受け懸架板片部８とからなり，前記第１および第２の筋交い取付板片部５，６には、振れ止め用筋交い４の種々の傾斜角度に係わらず、振れ止め用筋交い４の下端部４ａにビス止めするための多数のビス挿通孔９が第１および第２の筋交い取付板片部５，６の全面にわたって貫設されてなる構成からなるものである。
【０００６】
請求項２に係る野縁受け懸架装置は、図１及び図２に示すように、野縁受け金具２を形成するために金属板を打ち抜いて形成した打ち抜き金属板２Ａは、第１の筋交い取付板片部５と、第１の筋交い取付板片部５の縦側縁部から平面Ｌ状、即ち直角状に折り曲げられる縦折り曲げ部１０を介して形成される第２の筋交い取付板片部６と、第２の筋交い取付板片部６の上端部から外側に水平状に折り曲げられる外側横折り曲げ部１１を介して形成される吊りボルト取付板片部７と、第２の筋交い取付板片部６の下端部から内側に２重に上向きコ字状に折り曲げられる２重内側横折り曲げ部１２を介して形成される野縁受け懸架板片部８と、からなり、第１及び第２の筋交い取付板片部５，６には、その全面にわたって多数のビス挿通孔９が貫設されてなる請求項１に記載の構成からなるものである。
【０００７】
請求項３に係る野縁受け懸架装置は、図３、図４に示すように、天井部Ｓより垂下される吊りボルト１の隣り合う吊りボルト１，１間にその上端部から下端部にかけて傾斜状に取り付けられる振れ止め用筋交い４において、振れ止め用筋交い４の上端部は、吊りボルト１の上端部に取り付けられた枢着金具１３によって、その傾斜角度が自由に変位し得るように枢着連結され、振れ止め用筋交い４の下端部４ａは、野縁受け金具２の前記第１又は第２の筋交い取付板片部５，６に設けた多数のビス挿通孔９のうち、振れ止め用筋交い４の傾斜角度に応じて振れ止め用筋交い４の下端部４ａが重合するビス挿通孔９にビス１４を挿通させて振れ止め用筋交い４の下端部４ａにビス止めしてなる請求項１又は２に構成からなるものである。
【０００８】
請求項４に係る野縁受け懸架装置は、図３、図４又は図５に示すように、野縁受け金具２を挟んで野縁受け３の長手方向に対して直交する方向に傾斜状に垂下される振れ止め用筋交い４は、その下端部４ａが第１の筋交い取付板片部５にビス１４止めされるようになっている請求項１〜３の何れかに記載の構成からなるものである。
【０００９】
請求項５に係る野縁受け懸架装置は、図６、図７に示すように、野縁受け金具２を挟んで野縁受け３の長手方向に沿って傾斜状に垂下される振れ止め用筋交い４は、その下端部４ａが第２の筋交い取付板片部６にビス１４止めされるようになっている請求項１〜４の何れかに記載の構成からなるものである。
【００１０】
請求項６に係る野縁受け懸架装置は、図８に示すように、野縁受け金具２を挟んで野縁受け３の長手方向に直交して傾斜方向が反対で略Ｖ字状に配列される一対の振れ止め用筋交い４，４は、その両者の下端部４ａ，４ａが互いに干渉しないよう第１の筋交い取付板片部５の上下位置に分かれてビス１４止めされるようになっている請求項１〜５の何れかに記載の構成からなるものである。
【００１１】
請求項７に係る野縁受け懸架装置は、図９に示すように、野縁受け金具２を挟んで野縁受け３の長手方向に沿って傾斜方向が反対で略Ｖ字状に配列される一対の振れ止め用筋交い４，４は、その両者の下端部が互いに干渉しないようその一方の振れ止め用筋交い４の下端部４ａは第２の筋交い取付板片部６にビス１４止めされ、他方の振れ止め用筋交い４の下端部４ａは野縁受け３の長手方向側壁３ａにビス１４止めされるようになっている請求項１〜６の何れかに記載の構成からなるものである。
【００１２】
請求項８に係る野縁受け懸架装置は、図８、図９に示すように、天井部Ｓより垂下される吊りボルト１は、野縁受けの長手方向に対して直交する方向に適当間隔に垂下されると共に、野縁受けの長手方向に沿って適当間隔に垂下され、これらの吊りボルト１に野縁受け金具２が取り付けられ、これらの野縁受け金具２によって野縁受け３が懸架されてなる野縁受け懸架装置において、野縁受け３の長手方向に沿って適当間隔に取り付けられる、隣り合う野縁受け金具２，２間に水平状に配列されると共に野縁受け金具２の第１の筋交い取付板片部５（図９）、又は振れ止め用筋交い４の下端部４ａ（図８）に夫々ビス１４止めされる水平部材１５によって野縁受け３の長手方向に直交する方向に隣り合う野縁受け金具２，２が互いに繋がれてなる請求項１〜７の何れかに記載の構成からなるものである。
【００１３】
請求項９に係る野縁受け懸架装置は、図１０〜図１３に示すように、鉄骨製建物のＨ型鋼からなる鉄骨製屋根骨枠１６の上面に直交して取付けられる水平材である鉄骨製母屋１７に、第１の筋交い取付板片部５と、第１の筋交い取付板片部５の縦側縁部１０から平面Ｌ状、即ち直角状に折り曲げ形成される第２の筋交い取付板片部６と、第２の筋交い取付板片部６の下端部に形成される上向きコ字状の野縁受け懸架板片部８と、からなる野縁受け金具２（図１０参照）を、その第２の筋交い取付板片部６に貫設してあるビス挿通孔９から挿通するビス１４によってビス止めし、野縁受け懸架板片部８に野縁受け３を懸架してなる構成よりなるものである。
【発明の効果】
【００１４】
請求項１に係る野縁受け懸架装置によれば、図１〜図９に示すように、天井部Ｓより垂下される吊りボルト１の下端部にボルト止めされる野縁受け金具２は、天井部Ｓ側より傾斜状に垂下される振れ止め用筋交い４の下端部４ａをビス止めするための第１の筋交い取付板片部５と、第１の筋交い取付板片部５の縦側縁部から平面Ｌ状に折り曲げられて第１の筋交い取付板片部５に対して平面Ｌ状、即ち直角状に対向する第２の筋交い取付板片部６と、第２の筋交い取付板片部６の上端部に水平状に形成される吊りボルト取付板片部７と、第２の筋交い取付板片部６の下端部に形成される略上向きコ字状の野縁受け懸架板片部８とからなるため、振れ止め用筋交い４を、野縁受け３の長手方向に対して直交する方向に適当間隔に配列する場合には、野縁受け金具２の第１の筋交い取付板片部５によって取り付けることができると共に、振れ止め用筋交い４を野縁受け３の長手方向に沿って適当間隔に配列する場合にあっては、野縁受け金具２の第２の筋交い取付板片部６によって取り付けることができ、振れ止め用筋交い４の配列方向が野縁受け３に対して、その長手方向に直交する方向、又はその長手方向に沿う方向の何れであっても、共通の野縁受け金具２によって取り付けることができ、振れ止め用筋交い４の配列方向の差異によって専用の野縁受け金具を設ける必要がないから、それだけ野縁受け金具２を安価に製作することができると共に、野縁受け金具２が一種類からなるため、振れ止め用筋交い４の配列方向の差異によって一々その専用の野縁受け金具を選定する必要がないから現場施工が容易である。
【００１５】
又、前記第１および第２の筋交い取付板片部５，６には、振れ止め用筋交い４の種々の傾斜角度に係わらず振れ止め用筋交い４の下端部４ａを第１および第２の筋交い取付板片部５，６にビス止めすることができるように、第１および第２の筋交い取付板片部５，６の全面にわたって多数のビス挿通孔９が貫設されてなるため、振れ止め用筋交い４の種々の取付傾斜角に対して一々ビス挿通孔を設ける必要がなく、それだけ作業性がよい。
【００１６】
更に又、野縁受け金具２が第１の筋交い取付板片部５とこれに直角状に折り曲げられた第２の筋交い取付板片部６とからなるため、第１及び第２の筋交い取付板片部５，６の全面に多数のビス挿通孔９を貫設しても、振れ止め用筋交い４の野縁受け金具２に対する振れ止め強度を大きく維持することができ、野縁受け３を野縁受け金具２に安定よく支持させることができる。
【００１７】
請求項２に係る野縁受け懸架装置によれば、図１及び図２に示すように、野縁受け金具２を形成するための打ち抜き金属板２Ａは、第１の筋交い取付板片部５と、第１の筋交い取付板片部５の縦側縁部から平面Ｌ状、即ち直角状に折り曲げられる縦折り曲げ部１０を介して形成される第２の筋交い取付板片部６と、第２の筋交い取付板片部６の上端部から外側に水平状に折り曲げられる外側横折り曲げ部１１を介して形成される吊りボルト取付板片部７と、第２の筋交い取付板片部６の下端部から内側に２重に上向きコ字状に折り曲げられる２重内側横折り曲げ部１２を介して形成される野縁受け懸架板片部８と、からなり、第１及び第２の筋交い取付板片部５，６には、その全面にわたって多数のビス挿通孔９が貫設されてなるため、野縁受け金具２は、鋼板などの金属板材の打ち抜き加工によって上記一連の構成部分を一体形成することができ、その後は打ち抜き金属板を曲げ加工するだけで製品とすることができるから非常に安価に製作することができる。
【００１８】
請求項３に係る野縁受け懸架装置によれば、図３、図４に示すように、野縁受け金具２は、天井部Ｓより垂下される吊りボルト１の隣り合う吊りボルト１，１間にその上端部から下端部にかけて傾斜状に取り付けられる振れ止め用筋交い４において、振れ止め用筋交い４の上端部は、吊りボルト１の上端部に取り付けられた枢着金具１３によって、その傾斜角度が自由に変位し得るように枢着連結され、振れ止め用筋交い４の下端部４ａは、野縁受け金具２の前記第１又は第２の筋交い取付板片部５，６に設けた多数のビス挿通孔９のうち、振れ止め用筋交い４の傾斜角度に応じて振れ止め用筋交い４の下端部４ａが重合するビス挿通孔９にビスを挿通させて振れ止め用筋交い４の下端部４ａにビス９止めしてなるため、天井部Ｓより垂下される吊りボルト１の隣り合う吊りボルト１，１間に対向間隔の相違による振れ止め用筋交い４の取付傾斜角度の相違、例えば傾斜角が４５°以外に３０°又は６０°であっても、各種取付角度の相違する振れ止め用筋交い４に対応して、容易に且つ迅速に振れ止め用筋交い４の下端部４ａを野縁受け金具２に取り付けることができる。
【００１９】
請求項４に係る野縁受け懸架装置によれば、図３、図４又は図５に示すように、野縁受け金具２を挟んで野縁受け３の長手方向に対して直交する方向に傾斜状に垂下される振れ止め用筋交い４は、その下端部４ａが第１の筋交い取付板片部５にビス１４止めされるようになっているため、該振れ止め用筋交い４を野縁受け金具２に容易に且つ迅速に現場施工を行うことができる。
【００２０】
請求項５に係る野縁受け懸架装置によれば、図６、図７に示すように、野縁受け金具２を挟んで野縁受け３の長手方向に沿って傾斜状に垂下される振れ止め用筋交い４は、その下端部４ａが第２の筋交い取付板片部６にビス１４止めされるようになっているため、該振れ止め用筋交い４を野縁受け金具２に容易に且つ迅速に現場施工を行うことができる。
【００２１】
請求項６に係る野縁受け懸架装置によれば、図８に示すように、野縁受け金具２を挟んで野縁受け３の長手方向に直交して傾斜方向が反対で略Ｖ字状に配列される一対の振れ止め用筋交い４，４は、その両者の下端部４ａ，４ａが互いに干渉しないよう第１の筋交い取付板片部５の上下位置に分かれてビス１４止めされるようになっているため、略Ｖ字状に配列される一対の振れ止め用筋交い４，４の下端部４ａ，４ａを第１の筋交い取付板片部５に無理なくビス１４止めすることができる。
【００２２】
請求項７に係る野縁受け懸架装置によれば、図９に示すように、野縁受け金具２を挟んで野縁受け３の長手方向に沿って傾斜方向が反対で略Ｖ字状に配列される一対の振れ止め用筋交い４，４は、その両者の下端部が互いに干渉しないようその一方の振れ止め用筋交い４の下端部４ａは第２の筋交い取付板片部６にビス１４止めされ、他方の振れ止め用筋交い４の下端部４ａは野縁受け３の長手方向側壁３ａにビス１４止めされるようになっているため、振れ止め用筋交い４の下端部を第１の筋交い取付板片部５のみでなく、野縁受け３にもビス止めすることができ、それによって野縁受け３を振れ止め用筋交い４によって直接的に支持することができるから野縁受け３に対する振れ止め効果を一層良好に発揮することができる。
【００２３】
請求項８に係る野縁受け懸架装置によれば、図８、図９に示すように、天井部Ｓより垂下される吊りボルト１は、野縁受けの長手方向に対して直交する方向に適当間隔に垂下されると共に、野縁受けの長手方向に沿って適当間隔に垂下され、これらの吊りボルト１に野縁受け金具２が取り付けられ、これらの野縁受け金具２によって野縁受け３が懸架されてなる野縁受け懸架装置において、野縁受け３の長手方向に沿って適当間隔に取り付けられる、隣り合う野縁受け金具２，２間に水平状に配列されると共に野縁受け金具２の第１の筋交い取付板片部５（図９）、又は振れ止め用筋交い４の下端部４ａ（図８）に夫々ビス１４止めされる水平部材１５によって野縁受け３の長手方向に直交する方向に隣り合う野縁受け金具２，２が互いに繋がれてなるため、吊りボルト１，１間に傾斜状に配列される振れ止め用筋交い４のみによらず、野縁受け金具２，２間に水平状に配列されるビス１４止めされる水平部材１５によっても野縁受け金具２の振れ止め用作用を果たすようになっているため、地震などの強大な外部圧力に対して強力に振れ止め用作用を発揮することができる。
【００２４】
請求項９に係る野縁受け懸架装置によれば、図１０〜、図１３に示すように、鉄骨製建物のＨ型鋼からなる鉄骨製屋根骨枠１６の上面に直交して取付けられる水平材である鉄骨製母屋１７に、第１の筋交い取付板片部５と、第１の筋交い取付板片部５の縦側縁部１０から平面Ｌ状、即ち直角状に折り曲げ形成される第２の筋交い取付板片部６と、第２の筋交い取付板片部６の下端部に形成される上向きコ字状の野縁受け懸架板片部８と、からなる野縁受け金具２（図１０参照）を、その第２の筋交い取付板片部６に貫設してあるビス挿通孔１８から挿通するビス１４によって鉄骨製母屋１７にビス９止めし、野縁受け懸架板片部８に野縁受け３を懸架してなる構成よりなるため、振れ止め用筋交い４を取り付けるための野縁受け金具２を、そのまま鉄骨製母屋１７への野縁受け金具２として採用することができ、振れ止め用筋交い４用として、又、鉄骨製母屋１７用として互換性の優れた共通の野縁受け金具２を採用することができ、極めて実用的である。即ち、図１に示す打ち抜き金属板２Ａを、図２に示す振れ止め用筋交い４用野縁受け金具２として、吊りボルト１を吊持するために第２の筋交い取付板片部６の上端部の延長部を折り曲げて該延長部を吊りボルト取付板片部７とするか、又は図１０に示す鉄骨製母屋１７用野縁受け金具２として、鉄骨製母屋１７に適宜ビス止めするために第２の筋交い取付板片部６の上端部を折り曲げることなく単なる延長部６ａのままとするかの若干の構造上の相違だけであり、例えば、両者に共通した構造の打ち抜き金属板２Ａを予め製造しておき、必要に応じて該打ち抜き金属板２Ａから振れ止め用筋交い４用野縁受け金具２として、又は鉄骨製母屋１７用野縁受け金具２として迅速に且つ安価に製造することができる。
【図面の簡単な説明】
【００２５】
【図１】本発明に係る野縁受け金具を、金属板を打ち抜き加工して金属板状に展開した状態の展開図である。
【図２】（ａ）及び（ｂ）は、本発明に係る野縁受け金具を、前記金属板を打ち抜き加工した打ち抜き金属板を、曲げ加工によって製作された振れ止め用筋交い固定用の野縁受け金具の左向き及び右向きを示す斜視図である。
【図３】野縁受けの長手方向に対して直交する方向に適当間隔に配列してなる振れ止め用筋交いを野縁受け金具の第１の筋交い取付板片部にビス止めする状態の使用状態斜視図である。
【図４】野縁受けの長手方向に対して直交する方向に適当間隔に配列してなる振れ止め用筋交いを野縁受け金具の第１の筋交い取付板片部にビス止めする状態の正面図である。
【図５】（ａ）は、図４の要部側面図である。（ｂ）は、（ａ）に示すＡ−Ａ線断面図である。（ｃ）は、（ｂ）に示すＢ−Ｂ線方向から見た図である。
【図６】野縁受けの長手方向に沿って適当間隔に配列してなる振れ止め用筋交いを野縁受け金具の第２の筋交い取付板片部にビス止めする状態の使用状態斜視図である。
【図７】（ａ）は、図６の要部正面図である。（ｂ）は、（ａ）に示すＣ−Ｃ線断面図である。（ｃ）は、（ｂ）に示すＤ−Ｄ線方向から見た図である。
【図８】野縁受けの長手方向に対して直交する方向に略Ｖ字状に配列してなる一対の振れ止め用筋交いを野縁受け金具の第１の筋交い取付板片部にビス止めする状態の正面図である。
【図９】野縁受けの長手方向に沿って略Ｖ字状に配列してなる一対の振れ止め用筋交いを野縁受け金具の第２の筋交い取付板片部と野縁受け側面にビス止めする状態の正面図である。
【図１０】（ａ）及び（ｂ）は、本発明に係る野縁受け金具の他の実施形態を示すもので、図１に示す前記金属板を打ち抜き加工した打ち抜き金属板を、曲げ加工によって製作された鉄骨製母屋固定用の野縁受け金具の左向き及び右向きを示す斜視図である。
【図１１】図１０に示す鉄骨製母屋固定用の野縁受け金具を鉄骨製母屋にビス止めした状態を示す正面図である。
【図１２】鉄骨製母屋に野縁受け金具をビス止めした状態の使用状態を示す斜視図である。
【図１３】（ａ）は、鉄骨製母屋に野縁受け金具をビス止めした状態の正面図である。（ｂ）は、（ａ）に示すＥ−Ｅ線断面図である。（ｃ）は、（ｂ）に示すＦ−Ｆ線方向から見た図である。
【図１４】従来技術の野縁受け懸架装置の全体図である。
【発明を実施するための形態】
【００２６】
以下に本発明の好適な実施形態を図面に基づいて説明すると、図１は、本発明に係る野縁受け金具２を製造するために鋼板等の金属板をプレス機等で打ち抜き加工して野縁受け金具２を展開状態に示す打ち抜き金属板２Ａを示し、この打ち抜き金属板２Ａは、後述のように、第１の筋交い取付板片部５と、第１の筋交い取付板片部５の縦側縁部から平面Ｌ状、即ち直角状に折り曲げられる縦折り曲げ部１０を介して形成される第２の筋交い取付板片部６と、第２の筋交い取付板片部６の上端部から外側に水平状に折り曲げられる外側横折り曲げ部１１を介して形成される吊りボルト取付板片部７と、第２の筋交い取付板片部６の下端部から内側に２重に上向きコ字状に折り曲げられる２重内側横折り曲げ部１２を介して形成される野縁受け懸架板片部８と、からなり、第１及び第２の筋交い取付板片部５，６には、その全面にわたって多数のビス挿通孔９が貫設されている。
【００２７】
なお、第１の筋交い取付板片部５の上端部には補強片１９が形成されているが、これは省略してもよい。又、吊りボルト取付板片部７には吊りボルト１を挿通するためのボルト挿通孔２０が貫設されており、第２の筋交い取付板片部６の下部と野縁受け懸架板片部８には、野縁受け懸架板片部８に懸架される野縁受け３が該懸架板片部８から抜けるのを防止するために保持ボルト２１（図３参照）を懸架板片部８に挿通して第２の筋交い取付板片部６でねじ止めするためのボルト挿通孔２２，２３が貫設されており、後者のボルト挿通孔２３は保持ボルト２１をねじ込む際の下孔の役割を果たし、自動ねじ込み機で保持ボルト２１を下孔としてのボルト挿通孔２３にねじ込むことによってねじ切り係合されることになる。
【００２８】
図１に示す野縁受け金具２を展開して構成する打ち抜き金属板２Ａは、図２に示すように曲げ加工することによって、振れ止め用筋交い４用の野縁受け金具２を形成することができると共に、後述のように、図１０に示すように曲げ加工することによって、鉄骨製母屋１７の野縁受け金具２を形成することができる。図２に示される野縁受け金具２は、第１の筋交い取付板片部５と、第１の筋交い取付板片部５の縦側縁部から平面Ｌ状に折り曲げられて第１の筋交い取付板片部５に対して平面Ｌ状、即ち直角状に対向する第２の筋交い取付板片部６と、第２の筋交い取付板片部６の上端部に水平状に形成される吊りボルト取付板片部７と、第２の筋交い取付板片部６の下端部に形成される略上向きコ字状の野縁受け懸架板片部８とからなり，前記第１および第２の筋交い取付板片部５，６には、多数のビス挿通孔９が第１および第２の筋交い取付板片部５，６の全面にわたって貫設されており、なお、第１の筋交い取付板片部５の上端部の補強片１９及び野縁受け懸架板片部８にもビス挿通孔１９が貫設され、吊りボルト取付板片部７には吊りボルト１をナット止めするためのボルト挿通孔２０が、野縁受け懸架板片部８には保持ボルト挿通用のボルト挿通孔２２，２３が形成されていることは前述のとおりである。
【００２９】
図３及び図４に示すように、野縁受け懸架装置は、天井部Ｓより埋設インサートＳａに係止されて垂下される吊りボルト１の隣り合う吊りボルト１，１間にその上端部から下端部にかけて傾斜状に取り付けられる振れ止め用筋交い４を備えており、図４に示すように、振れ止め用筋交い４の上端部は、吊りボルト１の上端部に取り付けられた枢着金具１３によって、その傾斜角度が自由に変位し得るように枢着連結されている。枢着金具１３は、吊りボルト１の上端部に係止される本体部１３ａと本体部１３ａに枢軸１３ｂによって傾動可能に枢着されてなる傾動部１３ｃと傾動部１３ｃに設けられたねじ孔１３ｄにねじ込まれ、振れ止め用筋交い４の上端部に連結される羽子板ボルト等の連結部１３ｅとからなる。
【００３０】
天井部Ｓより垂下される吊りボルト１の隣り合う吊りボルト１，１間に配列される振れ止め用筋交い４の傾斜角度は４５°が主流を占めているが、現場施工において、吊りボルト１，１間の間隔が狭い場合には、例えば６０°となり、広い場合には、例えば３０°の傾斜角度になり、これらの振れ止め用筋交い４の種々の傾斜角度に対応して、振れ止め用筋交い４を吊りボルト１の上端部に取り付ける必要があるが、本発明では、上述の枢着金具１３を採用することによって充分に対応することができる。しかして、振れ止め用筋交い４の下端部４ａは、野縁受け金具２の前記第１又は第２の筋交い取付板片部５，６に設けた多数のビス挿通孔９のうち、振れ止め用筋交い４の傾斜角度に応じて振れ止め用筋交い４の下端部４ａが重合するビス挿通孔９にビス１４を挿通させて、このビス１４を振れ止め用筋交い４の下端部４ａにビス自動ねじ込み機を用いて強制的にねじ切り作用によってねじ込むことによって振れ止め用筋交い４の下端部４ａを確実に野縁受け金具２に固定することができる。そして、野縁受け金具２の前記第１および第２の筋交い取付板片部５，６には、振れ止め用筋交い４の種々の傾斜角度に係わらず、振れ止め用筋交い４の下端部４ａを第１および第２の筋交い取付板片部５，６にビス止めすることができるように、第１および第２の筋交い取付板片部５，６の全面にわたって多数のビス挿通孔９が貫設されてなるため、振れ止め用筋交い４の種々の取付傾斜角に対し、これに対応してビス止めすることができる。
【００３１】
そして、振れ止め用筋交い４を、野縁受け３の長手方向に対して直交する方向に適当間隔に配列する場合には、野縁受け金具２の第１の筋交い取付板片部５によって取り付けることができると共に、振れ止め用筋交い４を野縁受け３の長手方向に沿って適当間隔に配列する場合にあっては、野縁受け金具２の第２の筋交い取付板片部６によって取り付けることができ、振れ止め用筋交い４の配列方向が野縁受け３に対して、その長手方向に直交する方向、又はその長手方向に沿う方向の何れであっても、共通の野縁受け金具２によって取り付けることができ、振れ止め用筋交い４の配列方向の差異によって専用の野縁受け金具２を設ける必要がないから、それだけ野縁受け金具２を安価に製作することができると共に、野縁受け金具２が一種類からなるため、振れ止め用筋交い４の配列方向の差異によって一々その専用の野縁受け金具を選定する必要がないから現場施工が容易である。
又、前記第１および第２の筋交い取付板片部５，６には、振れ止め用筋交い４の種々の傾斜角度に係わらず振れ止め用筋交い４の下端部４ａを第１および第２の筋交い取付板片部５，６にビス止めすることができるように、第１および第２の筋交い取付板片部５，６の全面にわたって多数のビス挿通孔９が貫設されてなるため、振れ止め用筋交い４の種々の取付傾斜角に対して一々ビス挿通孔を設ける必要がなく、それだけ作業性がよい。
更に又、野縁受け金具２が第１の筋交い取付板片部５とこれに直角状に折り曲げられた第２の筋交い取付板片部６とからなるため、第１及び第２の筋交い取付板片部５，６の全面に多数のビス挿通孔９を貫設しても、振れ止め用筋交い４の野縁受け金具２に対する振れ止め強度を大きく維持することができ、野縁受け３を野縁受け金具２に安定よく支持させることができる。
【００３２】
図３〜図５に示す実施形態にあっては、振れ止め用筋交い４を、野縁受け３の長手方向に対して直交する方向に適当間隔に配列して、野縁受け金具２の第１の筋交い取付板片部５に取り付ける使用例を示し、吊りボルト１を野縁受け金具２の吊りボルト取付板片部７のボルト挿通孔２０に挿通させて、その上下部のナット２４，２５をよって吊りボルト１に締め付けることによって野縁受け金具２は吊りボルト１に吊持され、第２の筋交い取付板片部６の下端部の野縁受け懸架板片部８に野縁受け３を懸架させ、保持ボルト２１によって野縁受け３の抜け止め作用を果たすと共に、野縁受け懸架板片部８から野縁受け３にねじ込んだビス１４によっても野縁受け３を野縁受け懸架板片部８に長手方向への移動を阻止して固定するようになっており、野縁受け３に周知のクリップ２６を介して野縁２７を野縁受け３に交叉して取り付け、野縁２７に天井ボード等の天井材２８を釘や接着剤によって取り付けるようになっている。そして、振れ止め用筋交い４を、野縁受け３の長手方向に対して直交する方向に適当間隔に配列して、振れ止め用筋交い４の下端部４ａを野縁受け金具２の第１の筋交い取付板片部５に当てつけ、振れ止め用筋交い４の下端部４ａによって重合される（覆われる）第１の筋交い取付板片部５のビス挿通孔９にビス１４を挿通させ、その先端部を該下端部４ａにビス自動ねじ込み機によってねじ込むことによって、振れ止め用筋交い４の傾斜角度が種々相違しても、又、図４及び図５の（ｂ）に示すように振れ止め用筋交い４の傾斜方向が鎖線で示すように異なっていても、確実にその下端部４ａを第１の筋交い取付板片部５に固定することができる。
【００３３】
図６及び図７に示す実施形態にあっては、振れ止め用筋交い４を野縁受け３の長手方向に沿って適当間隔に配列して、振れ止め用筋交い４を野縁受け金具２の第２の筋交い取付板片部６に取り付ける使用例を示し、吊りボルト１を野縁受け金具２の吊りボルト取付板片部７のボルト挿通孔２０に挿通させて、その上下部のナット２４，２５をよって吊りボルト１に締め付けることによって野縁受け金具２は吊りボルト１に吊持され、第２の筋交い取付板片部６の下端部の野縁受け懸架板片部８に野縁受け３を懸架させ、保持ボルト２１によって野縁受け３の抜け止め作用を果たすと共に、野縁受け懸架板片部８から野縁受け３にねじ込んだビス１４によっても野縁受け３を野縁受け懸架板片部８に長手方向への移動を阻止して固定するようになっており、野縁受け３に周知のクリップ２６を介してリップ付き溝型野縁２７を野縁受け３に交叉して取り付け、野縁２７に天井ボード等の天井材２８を釘や接着剤によって取り付けるようになっている。そして振れ止め用筋交い４を、野縁受け３の長手方向に沿って適当間隔に配列して、振れ止め用筋交い４の下端部４ａを野縁受け金具２の第２の筋交い取付板片部６に当てつけ、振れ止め用筋交い４の下端部４ａによって重合される（覆われる）第２の筋交い取付板片部６のビス挿通孔９にビス１４を挿通させ、該ビス１４を振れ止め用筋交い４の下端部４ａにビス自動ねじ込み機によってねじ込むことによって、振れ止め用筋交い４の傾斜角度が種々相違しても、又、図７の（ａ）に示すように振れ止め用筋交い４の傾斜方向が鎖線で示すように異なっていても、確実にその下端部４ａを第２の筋交い取付板片部６に固定することができる。
【００３４】
図８は、野縁受け金具２を挟んで野縁受け３の長手方向に直交して傾斜方向が反対で略Ｖ字状に配列される一対の振れ止め用筋交い４，４を野縁受け金具２に固定する場合の例を示すものであり、この場合には一対の振れ止め用筋交い４の下端部４ａ，４ａを野縁受け金具２に同じ高さ位置にビス止めしようとすると互いに干渉されてビス止めできない虞れがあるが、この場合には、その両者の下端部４ａ，４ａが互いに干渉しないよう第１の筋交い取付板片部５の上下位置に分かれてビス１４止めされることによって、略Ｖ字状に配列される一対の振れ止め用筋交い４，４の下端部４ａ，４ａを第１の筋交い取付板片部５に無理なくビス１４止めすることができる。
【００３５】
即ち、図中右側の振れ止め用筋交い４の下端部４ａは野縁受け金具２の第１の筋交い取付板片部５の下部位置で、該下端部４ａに重合する複数のビス挿通孔９から複数のビス１４を該下端部４ａにねじ込み、図中左側の振れ止め用筋交い４の下端部４ａは野縁受け金具２の第１の筋交い取付板片部５の上部位置で、該下端部４ａに重合する複数のビス挿通孔９から複数のビス１４を該下端部４ａにねじ込むことによって、略Ｖ字状に配列される一対の振れ止め用筋交い４，４の下端部４ａ，４ａが第１の筋交い取付板片部５に無理なく確実に且つ堅固にビス１４止めすることができる。
【００３６】
なお、吊りボルト１を野縁受け金具２の吊りボルト取付板片部７のボルト挿通孔２０に挿通させて、その上下部のナット２４，２５をよって吊りボルト１に締め付けることによって野縁受け金具２は吊りボルト１に吊持され、第１の筋交い取付板片部５の下端部の野縁受け懸架板片部８に野縁受け３を懸架させ、保持ボルト２１によって野縁受け３の抜け止め作用を果たすと共に、野縁受け懸架板片部８から野縁受け３にねじ込んだビス１４によっても野縁受け３を野縁受け懸架板片部８に長手方向への移動を阻止して固定するようになっており、野縁受け３に野縁受け３に交叉して取り付けられる野縁２７に天井ボード等の天井材２８を釘や接着剤によって取り付けるようになっていることは前述のとおりである。
【００３７】
図９は、野縁受け金具２を挟んで野縁受け３の長手方向に沿って傾斜方向が反対で略Ｖ字状に配列される一対の振れ止め用筋交い４，４を野縁受け金具２及び野縁受け３にビス止めする実施形態を示すもので、この場合にあっては、一対の振れ止め用筋交い４の下端部４ａが互いに干渉しないようその一方の振れ止め用筋交い４の下端部４ａは第２の筋交い取付板片部６にビス１４止めされ、他方の振れ止め用筋交い４の下端部４ａは野縁受け３の長手方向側壁３ａにビス１４止めされるようになっている。これによって、一対の振れ止め用筋交い４の下端部４ａが互いに干渉することはなく、しかも、振れ止め用筋交い４の下端部４ａを第１の筋交い取付板片部５のみでなく、野縁受け３の側壁３ａにもビス止めすることによって、野縁受け３を振れ止め用筋交い４によって直接的に支持することができるから、野縁受け３に対する振れ止め効果を一層良好に発揮することができる。
【００３８】
即ち、図中右側の振れ止め用筋交い４の下端部４ａは野縁受け金具２の第２の筋交い取付板片部６の上部位置で、該下端部４ａに重合する複数のビス挿通孔９から複数のビス１４を該下端部４ａにねじ込み、図中左側の振れ止め用筋交い４の下端部４ａは野縁受け３の側壁４ａに複数のビス１４を該下端部４ａにねじ込むことによって、略Ｖ字状に配列される一対の振れ止め用筋交い４，４の下端部４ａ，４ａが第２の筋交い取付板片部６と野縁受け３に無理なく確実に且つ堅固にビス１４止めすることができる。
【００３９】
なお、吊りボルト１を野縁受け金具２の吊りボルト取付板片部７のボルト挿通孔２０に挿通させて、その上下部のナット２４，２５をよって吊りボルト１に締め付けることによって野縁受け金具２は吊りボルト１に吊持され、第１の筋交い取付板片部５の下端部の野縁受け懸架板片部８に野縁受け３を懸架させ、保持ボルト２１によって野縁受け３の抜け止め作用を果たすと共に、野縁受け懸架板片部８から野縁受け３にねじ込んだビス１４によっても野縁受け３を野縁受け懸架板片部８に長手方向への移動を阻止して固定するようになっており、野縁受け３に交叉して取り付けられる野縁２７に天井ボード等の天井材２８を釘や接着剤によって取り付けるようになっていることは前述のとおりである。
【００４０】
更に、図８及び図９に示すように、天井部Ｓより垂下される吊りボルト１は、野縁受けの長手方向に対して直交する方向に適当間隔に垂下されると共に、野縁受けの長手方向に沿って適当間隔に垂下され、これらの吊りボルト１に野縁受け金具２が取り付けられ、これらの野縁受け金具２によって野縁受け３が懸架されてなる野縁受け懸架装置において、野縁受け３の長手方向に沿って適当間隔に取り付けられる、隣り合う野縁受け金具２，２間に水平状に配列されると共に野縁受け金具２の第１の筋交い取付板片部５（図９）又は振れ止め用筋交い４の下端部４ａ（図８）に夫々ビス１４止めされる水平部材１５によって野縁受け３の長手方向に直交する方向に隣り合う野縁受け金具２，２が互いに繋がれてなるため、吊りボルト１，１間に傾斜状に配列される振れ止め用筋交い４のみによらず、野縁受け金具２，２間に水平状に配列されるビス１４止めされる水平部材１５によっても野縁受け金具２の振れ止め用作用を果たすようになっているため、地震などの強大な外部圧力に対して強力に振れ止め用作用を発揮することができる。
【００４１】
図１０〜図１３は、鉄骨製建物のＨ型鋼からなる鉄骨製屋根骨枠１６の上面に直交して取付けられる水平材である鉄骨製母屋１７に野縁受け金具２を取り付ける実施形態を示すもので、図１に示す野縁受け金具２を展開して構成する打ち抜き金属板２Ａは、図２に示すように曲げ加工することによって、これまで詳述してきた振れ止め用筋交い４用の野縁受け金具２を形成することができるが、同じく図１に示す打ち抜き金属板２Ａを、図１０に示すように曲げ加工することによって、鉄骨製母屋１７用の野縁受け金具２を形成することができる。
【００４２】
即ち、この野縁受け金具２は、図１０〜、図１３に示すように、第１の筋交い取付板片部５と、第１の筋交い取付板片部５の縦側縁部１０から平面Ｌ状、即ち直角状に折り曲げ形成される第２の筋交い取付板片部６と、第２の筋交い取付板片部６の下端部に形成される上向きコ字状の野縁受け懸架板片部８と、からなり、図２に示す振れ止め用筋交い４用の野縁受け金具２の構造と相違する点は、図２に示す野縁受け金具２にあっては、第２の筋交い取付板片部６の上端部に外側横折り曲げ部１１を介して外側に水平に形成される吊りボルト取付板片部７を設け、これに吊りボルト１を吊持するようにしたものであるが、図１０に示す実施形態にあっては、第２の筋交い取付板片部６の上端部は折り曲げられることなく、第２の筋交い取付板片部６と同一平面上に延長する上端部６ａを構成してなる点であり、その他の構造は、図２に示す野縁受け金具２の構造と全く同じである。即ち、第１の筋交い取付板片部５の下端部の野縁受け懸架板片部８に野縁受け３を懸架させ、保持ボルト２１によって野縁受け３の抜け止め作用を果たすと共に、野縁受け懸架板片部８から野縁受け３にねじ込んだビス１４によっても野縁受け３を野縁受け懸架板片部８に長手方向への移動を阻止して固定するようになっており、第１及び第２の筋交い取付板片部５，６には多数のビス挿通孔９が貫設されている。
【００４３】
そして、図１１に示すように、鉄骨製建物のＨ型鋼からなる鉄骨製屋根骨枠１６の上面に直交して取付けられる水平材である鉄骨製母屋１７の上面１７ａに鉄骨製の屋根剤材１８が設けられ、鉄骨製母屋１７のウエッブ部１７ｂに野縁受け金具２（図１０参照）を、その第２の筋交い取付板片部６に貫設してあるビス挿通孔９から挿通するビス１４によって鉄骨製母屋１７にビス止めし、野縁受け懸架板片部８に野縁受け３を懸架してなる構成となっている。そして野縁受け３に交叉して取り付けられる野縁２７に天井ボード等の天井材２８を釘や接着剤によって取り付けるようになっていることは前記実施形態と同じである。
【００４４】
このように、振れ止め用筋交い４を取り付けるための野縁受け金具２を、そのまま鉄骨製母屋１７への野縁受け金具２として採用することができ、振れ止め用筋交い４用として、又、鉄骨製母屋１７用として互換性の優れた共通の野縁受け金具２を採用することができ、極めて実用的である。
【符号の説明】
【００４５】
Ｓ      天井部
１      吊りボルト
２      野縁受け金具
３      野縁受け
３ａ    野縁受けの側壁
４      振れ止め用筋交い
４ａ    振れ止め用筋交いの下端部
５      第１の筋交い取付板片部
６      第２の筋交い取付板片部
７      吊りボルト取付板片部
８      野縁受け懸架板片部
９      ビス挿通孔
１０    縦折り曲げ部又は縦側縁部
１１    外側横折り曲げ部
１２    ２重内側横折り曲げ部
１３    枢着金具
１４    ビス
１５    水平部材
１６    鉄骨製屋根骨枠
１７    鉄骨製母屋
【図１】
2017025513.tif 000003
【図２】
2017025513.tif 000004
【図３】
2017025513.tif 000005
【図４】
2017025513.tif 000006
【図５】
2017025513.tif 000007
【図６】
2017025513.tif 000008
【図７】
2017025513.tif 000009
【図８】
2017025513.tif 000010
【図９】
2017025513.tif 000011
【図１０】
2017025513.tif 000012
【図１１】
2017025513.tif 000013
【図１２】
2017025513.tif 000014
【図１３】
2017025513.tif 000015
【図１４】
2017025513.tif 000016